(57)【要約】【技術課題】施工がしやすく、再施工が可能な防火区画貫通部措置具を提供する。【解決手段】ロール又はシート状熱膨張部材１の片面に面ファスナー２のフック側２ａを張り合わせ、もう片面にループ側２ｂを張り合わせた措置具となし、措置に際しては、配管３にひと捲き又はふた捲きした後、面ファスナー２で固定する。このようにすることで、措置がしやすいと共に誤施工した場合には面ファスナー２の留めた部分を一旦剥がして、再施工することができる。【選択図】        図  １
2004360815.tif 000002
【特許請求の範囲】
【請求項１】
ロール又はシート状熱膨張性部材の片面には面ファスナーのフック側を張り合わせ、もう一方の片面にはループ側を張り合わせて成る防火区画貫通部措置具。
【請求項２】
請求項１の熱膨張性部材の片面であって、面ファスナーとの間には、金属箔層が形成されていることを特徴とする防火区画貫通部措置具。
【請求項３】
ロール状又はシート状熱膨張性部材層を中間層となし、この熱膨張性部材層の周囲に保護層が形成され、この保護層の外表面の片面には面ファスナーのフック側が張り合わせてあり、もう一方の片面にはループ側が張り合わせてあることを特徴とする防火区画貫通部措置具。
【請求項４】
請求項３の熱膨張性部材層の片面には、金属箔層が形成されていることを特徴とする防火区画貫通部措置具。
【請求項５】
請求項３の保護層は、柔軟性を有する樹脂で形成されていることを特徴とする防火区画貫通部措置具。
【請求項６】
請求項１及び３において、ロール状とは、ロール状に捲きとった長尺の熱膨張性部材であって、被措置物に対する捲きつけ長よりも少し長くカットして使用するタイプのものであることを特徴とする防火区画貫通部措置具。
【請求項７】
請求項１又は３において、シート状とは、被措置物に対する捲きつけ長よりも少し長めに形成された定尺のものであることを特徴とする防火区画貫通部措置具。
【発明の詳細な説明】
【０００１】
【発明の属する技術分野】
本発明は、建物の防火区画において、その貫通穴内に配管、ケーブル等を通した時に、管通穴内において防火措置を施すための措置具に関する。
【０００２】
【従来の技術】
従来の防火措置具としては、金枠内に熱膨張性部材を張り込んだものが主体であったが、このような措置具の場合、コストが高くつき、また配管やケーブル等の径ごとに寸法の違うものを用意する必要があることから、最近は、熱膨張性部材をテープ状に形成し、これを現場で配管やケーブルに捲きつけて措置する方式のものが採用され始めている。このテープ形状の措置具の例を次に示す。
【０００３】
・特開２００２−２２７３２５号
この公開に係る措置具及び措置方法は、建築物の仕切り部に設けられた防火区画３を貫通する樹脂配管、ケーブル、又は断熱被覆管１が貫通させる防火区画貫通部５の施工方法において、該樹脂配管、ケーブル、又は断熱被覆管１の防火区画貫通部分に、５０ｋｗ／ｍ２の照射熱量下で加熱したときの膨張倍率が３〜４０倍であり、且つ粘着性を有する熱膨張性材料からなるテープ状成形体２を巻き付けた後、防火区画貫通部５と樹脂配管、ケーブル、又は断熱被覆管１との間隔をモルタル、不燃材料、又はパテ４で埋め戻すことを特徴とするものである。
【０００４】
・特開２００２−１７２１８１号
この公開に係る措置具は、建築物の仕切り部に設けられた防火区画３を貫通する樹脂配管、ケーブル、又は断熱被覆管１に装着される防火区画貫通部材であって、該防火区画貫通部材が、５０ｋｗ／ｍ２の照射熱量下で加熱した際の膨張倍率が５〜４０倍であり、且つ加熱後の膨張材料を０．１ｃｍ／ｓで圧縮した際の破断点荷重が１Ｎ／ｃｍ２以上である熱膨張性材料からなるテープ状成形体で形成され、該テープ状成形体の厚みが、上記樹脂配管、ケーブル、又は断熱被覆管の外径の０．５〜２０％となされ、且つ、該テープ状成形体の幅が、防火区画貫通部の厚みの２５〜１５０％となされることを特徴とするものである。
【０００５】
・特開２００２−１６７８８５号
この公開に係る措置具は、建築物の仕切り部に設けられた防火区画３を貫通する樹脂配管、ケーブル、又は断熱被覆管１が挿通される防火区画貫通部分に、５０ｋｗ／ｍ２の照射熱量下で加熱したときの膨張倍率が３〜４０倍の熱膨張性材料からなるテープ状成形体２を巻き付けて固定した後、防火区画貫通部５と樹脂配管、ケーブル、又は断熱被覆管１との間隙をモルタル、不燃材料、又はパテ４で埋め戻すことを特徴とするものである。
【０００６】
・特開２０００−２４０８５４号
この公開に係る措置具は、防火区画体１の貫通孔２の内周面２ａと貫通孔２に配設された管様体Ｐの外周面との間に装着可能な厚みを有し、かつ、管様体Ｐの外周に添って巻回可能な長さと可撓性を備えた熱膨張性耐熱シール材４に、熱膨張性耐熱シール材４をそれの復元力に抗して巻回姿勢に保持する保持手段５が設けられていることを特徴とするものである。
【０００７】
【発明が解決しようとする課題】
しかし、上記各措置具は、テープ形状であることから、措置のしやすさ、と云う点では改善されているが、次のような欠点がある。
１．接着剤で被措置物に固定しているため、誤施工した場合、取り外して再施工
ができない。
２．接着剤で被措置物に固定しているため、配管、ケーブル等を撤去した後、こ
れを廃棄処分するとき、分別に手数がかかる。
３．テープの裏面（内面）には、粘着剤層が形成されていて、捲きつけたときに配管等に固定するようになっている。このため、貫通穴内に配管等を行った後に措置を行おうとした場合、貫通穴内においてテープを捲きつけることができる場合はとにかく、通常は貫通穴の外で配管等に捲きつけてから貫通穴内にずらし込むため、あらかじめテープが配管等に固定されてしまうと、このずらし込みができない。そこで、あらかじめ貫通前の配管等に装着しておき、この配管ごと貫通穴内に挿入する必要があり、微妙な位置調整が難しいと共に措置後
にやり直す必要が生じた時に位置調整が不可能である。
４．特開２０００−２４０８５４号公報に掲載の措置具の場合、縦の貫通穴において措置をする場合、措置具の落下を防ぐために、粘着剤以外に装着位置規制手段９（図７、図８参照）等を用いており、この装置位置規制手段９を用いる
分手間とコストがかかる。
【０００８】
本発明は斯る点に鑑みて提案されるものであって、その第１の目的は、誤施工した場合、取り外して再施工が可能な措置具を提供することである。
更に、第２の目的は、被措置物の廃棄処分に際し、分別がしやすい措置具を提供することである。
更に、第３の目的は、配管等に貫通穴の外で装着し、この後で貫通穴内にずらし込むことができると共に、縦配管に装着したときに滑り落ちない構造の措置具を提供することである。
【０００９】
【課題を解決するための手段】
上記目的を達成するため、請求項１に記載の発明においては、防火区画貫通部措置具において、ロール又はシート状熱膨張性部材の片面には面ファスナーのフック側を張り合わせ、もう一方の片面にはループ側を張り合わせて成ることを特徴とするものである。
この発明によると、極めて簡単に被措置物に捲き付けたのち、面ファスナーで留めることができる。
【００１０】
更に、請求項２に記載の発明においては、請求項１の熱膨張性部材の片面であって、面ファスナーとの間には、金属箔層が形成されていることを特徴とするものである。
この発明によると、一つの貫通穴内に複数本の被措置物を夫々個別に措置することができる。
【００１１】
更に、請求項３に記載の発明においては、防火区画貫通部措置具において、ロール状又はシート状熱膨張性部材層を中間層となし、この熱膨張性部材層の周囲に保護層が形成され、この保護層の外表面の片面には面ファスナーのフック側が張り合わせてあり、もう一方の片面にはループ側が張り合わせてあることを特徴とするものである。
この発明によると、熱膨張性部材の性状を経年的に安定させることができると共に面ファスナーの密着性を向上させることができる。
【００１２】
更に、請求項４に記載の発明においては、請求項３の熱膨張性部材層の片面には、金属箔層が形成されていることを特徴とするものである。
この発明によると、一つの貫通穴内に複数本の被措置物を夫々個別に措置することができる。
【００１３】
更に、請求項５に記載の発明においては、請求項３の保護層は、柔軟性を有する樹脂で形成されていることを特徴とするものである。
この発明によると、インモールド方式での加工性を向上させることができる。
【００１４】
更に、請求項６に記載の発明においては、請求項１及び３において、ロール状とは、ロール状に捲きとった長尺の熱膨張性部材であって、被措置物に対する捲きつけ長よりも少し長くカットして使用するタイプのものであることを特徴とするものである。
この発明によると、被措置物の径や本数に応じて長さを決めて使用できるので便利である。
【００１５】
更に、請求項７に記載の発明においては、請求項１又は３において、シート状とは、被措置物に対する捲きつけ長よりも少し長めに形成された定尺のものであることを特徴とするものである。
この発明によると、定尺のために使い易さがある。
【００１６】
【実施例１】
本実施例１は、シート状に形成された防火区画貫通部措置具に関するもので、請求項１、７に記載の発明に対応し、図１には措置具の全体を示し、図２には断面構造を示し、図３には配管にひと捲きした措置例を示し、図４には配管にふた捲きした措置例を示す。これら図１〜図４において、符号の１は熱膨張性部材であって、この熱膨張性部材１は、ベースポリマー又はベースゴムに熱膨張性黒鉛又は熱膨張性バーミュキュライト又はポリ燐酸アンモニウム等の熱膨張材を含有させたものの総称である。２は熱膨張性部材の表面に張り合わせられた面ファスナーであって、この面ファスナー２のフック側２ａは熱膨張性部材１の片面全体に張り合わせられ、ループ側２ｂはもう一方の面に張り合わせられている。
【００１７】
上部構成の措置具は、図３に示すように配管３にひと捲きした上で、端１ｂを捲き始め１ａの上に重ね合わせ、面ファスナー２のフック側２ａとループ側２ｂの係合作用で固定することにより、配管３に一旦装置し、これを防火区画４の貫通穴５に押し込んで措置を行う。その後、貫通穴５との隙間際にはモルタル又はパテを充填して措置を終る。図４は、配管３に二捲きした時の例を示すものである。
【００１８】
【実施例２】
本実施例２は、図５に示すように、熱膨張性部材１の片面であって、面ファスナー２（フック側２ａ又はループ側２ｂ）との間に金属箔層６を形成した請求項２に記載の発明に対応する実施例である。なお、本実施例２の金属箔層６はアルミニウム箔層である。このように、不燃材である金属箔層６を形成した場合、この作用で貫通穴内に複数の配管等を個別に措置した際、相互の独立性が保障される。この結果、１ヶの貫通穴内において、複数の配管やケーブル等の措置を行ったときに防火性能の向上を図ることができる。
なお、措置に際し、金属箔層６側は外側とする。実施例１、２において、面ファスナー２は、図６に示すように、熱膨張性部材１において、全面ではなく、中央部にストライプ状に張り付けた構成としても良い。
【００１９】
【実施例３】
本実施例３は、請求項３、４、５に記載の発明に対応するものであって、本実施例３の措置具は、図７に示すように、熱膨張性部材１を中間層となし、この一面に金属箔層６（アルミニュウム箔層）を形成し、その上で全体を保護層７で被覆し、この保護層７の片面に面ファスナー２のフック側２ａを張り合わせ、他の面にループ２ｂ側を張り合わせた構成から成り、措置例は実施例１の場合（図３、４）と同じである。
なお、実施例の保護層７は、柔軟性を有する樹脂で熱膨張性部材１をインモールド成形しており、樹脂としてポリエチレン、ナイロン等が好適である。但し、保護層７は熱膨張性部材１全体を被覆するのではなく、面ファスナー２と接する面側のみとなし、端は露出した状態としても良い。
図８は１つの貫通穴５内に２本の配管３、３ａが貫通している状況での措置例であって、このように、一つの貫通穴５内において２本の配管３、３ａを措置する場合は、実施例２及び本実施例３のように、金属箔層６を形成した措置具の使用が前提となる。図９は複数の配管３及びケーブル３−１をひとまとめにして本発明に係る措置具で措置した例である。
【００２０】
上記実施例１〜３の措置具は、定尺のシート状のものであるが、措置具は、長尺となし、これをロール状に捲き取って置き、措置時に所定の長さにカットしてから使用する形態としても良く、この措置具の形態は、本発明において問わない。また、本発明において、面ファスナー２は、便宜上フック側２ａとループ側２ｂで説明したが、これはこの文言に限定されると言う意味ではなく、例えばフックとピンあるいはフックとフック等の組み合わせを含む現在公知の全ての面ファスナーが該当する。
【００２１】
【発明の効果】
本発明は以上のように、シート状又はロール状に形成した措置具を面ファスナーで留めるように構成したことにより、次の効果がある。
１．面ファスナーを用いれば、簡単に配管等の被措置物にひと捲きあるいはふた捲き、あるいはそれ以上捲きして固定することができるため、施工がしやすい
と共に、誤施工した場合には一旦剥して再施工することができる。
２．配管等を廃棄処分するときに、措置具を簡単に取り除くことができるため、分別に手数がかからない。
３．貫通穴の外で被措置物に装着したあと、これを貫通穴内にずらし込んで措置ができるため、被措置物に先に装着し、この被措置物を貫通穴内に貫通施工さ
せる必要がない。この結果、貫通穴内での措置具の位置を定め易い。
４．面ファスナーの摩擦力の作用で縦貫通の場合にずり落ちない。
５．貫通穴内に措置が終り、後から被措置物の交換とか入れ替えの必要が生じた場合、同一外径ならば、措置具を穴内に残し、そのまま旧被措置物を抜きとり
、新措置物を面ファスナーの内径内に挿し込んで措置を行うこともできる
【図面の簡単な説明】
【図１】熱膨張性部材に面ファスナーを張り合わせた措置具の外観の説明図。
【図２】Ａ−Ａ´線断面図。
【図３】措置具をひと捲きした措置例の説明図。
【図４】措置具をふた捲きした措置例の説明図。
【図５】金属箔層を形成した措置具の説明図。
【図６】面ファスナーを一部に形成した措置具の説明図。
【図７】熱膨張性部材を保護層内にインモールド成形した措置具の説明図。
【図８】貫通穴内に貫通する２本の配管を措置した例の説明図。
【図９】複数の配管及びゲーブルをひとまとめにして措置した例の説明図。
【符号の説明】
１  熱膨張性部材
２  面ファスナー
３、３ａ  配管
４  防火区画
５  貫通穴
６  金属箔層
７  保護層
【図１】
2004360815.tif 000003
【図２】
2004360815.tif 000004
【図３】
2004360815.tif 000005
【図４】
2004360815.tif 000006
【図５】
2004360815.tif 000007
【図６】
2004360815.tif 000008
【図７】
2004360815.tif 000009
【図８】
2004360815.tif 000010
【図９】
2004360815.tif 000011